(57)【要約】【課題】  睡眠環境、体質、健康状態等により睡眠の状況は複雑で異なる。故に睡眠に対応する枕の機能は単体機能では睡眠に常に良い影響を及ぼすことは難しいといえる。枕の多機能化を図り、個人個人の複雑な睡眠に適した機能枕を提供するのが課題である。【解決手段】  本考案では睡眠に適した枕機能を選択し、２から５個の部分枕に各々機能を付与した部分枕を連結して、たたみ枕を作成した。睡眠環境、体質、健康状態等による睡眠に対応して、たたみ方を変えて機能の組み合わせを行い、複雑な睡眠に適合した枕を個人個人が設定できるようにした。【選択図】            図１
0003110089.tif 000002
【実用新案登録請求の範囲】
【請求項１】
１個で１種の機能を有する２から５個の部分枕を折りたたんで一つの枕に完成することを特徴とする多機能たたみ枕
【請求項２】
２から５個それぞれの部分枕に各々睡眠に関わる枕の素材及び形態による機能、温度調整機能、香り機能、マイナスイオン又はマイナス電位発生機能、ゲルマニウム等の健康維持機能、振動機能等を付与し、それらの機能をもつ部分枕をたたみ重ねることにより、各々の機能を複合的に用いることを特徴とする請求項１に記載の多機能たたみ枕
【考案の詳細な説明】
【技術分野】
【０００１】  掛け布団、敷き布団、シーツ、毛布、枕等の寝具分野
【背景技術】
【０００２】  各メーカーで枕の開発、研究は多角的に推進され、多くの機能性枕が開発、販売されている。請求項２に記載されている機能は殆どが開発途上か、すでに商品化され、販売されているものである。しかし多様なしかも優れた機能枕が開発されている状況にもかかわらず、それらの枕の機能は多くが単体として使われ、必要時に必要な機能を作用させる体系的関連性がもたされていない。一つ一つの機能がバラバラであり、枕の必要条件として機能していない問題点がある。睡眠は常に一定条件内で進むのではなく、季節、昼夜、外部環境、体質の変化等の条件が複雑に複合した中で進行するのであるが、対応する機能枕が単機能又は条件に合わない枕では、状況に適合して機能を発揮しているとは言い難い。要するに一般的に開発されている機能枕は睡眠に要望される機能として適正に用いられていると判断しがたい状況にある。【０００３】  枕全般、特に機能を表示する枕について関係特許及び実用新案について２０００年から２００４年間の公開特許８６５件及び実用新案７９６件を検索の結果、たたみ枕及び機能枕については該当するもの及び類似するものは多数あるが、多くは単体で用いる枕であって、本考案に該当又は類似するものは見当たらなかった。
【考案の開示】
【考案が解決しようとする課題】
【０００４】  枕を構成する中材の材質、形態、感触（クッション性）及び頭部と直接接触する側地の材質、感触、ファッション性ついて多くの商品開発がなされている。その多くは睡眠に好影響を与える観点から数々の機能を付与し、商品化されている。ただし睡眠自体は複雑で、単純な機能の対応では中途半端である場合が多い。故に睡眠環境の変化に対応して付与された機能を発揮する多機能枕を提供することの方が、単体機能のみを提供する枕よりもきめが細かく、睡眠の深化を進めるものと考えられるが、現状では健康や環境等の変化に応じて機能を機敏に替えられる枕は見あたらない。一般に単体の機能であったり、機能が部分的であったり、睡眠状況にマッチしない機能である場合が多く、状況変化に対応することが出来ない。枕を使用する各々個人に適した枕を提供できていないことが課題となる。
【課題を解決するための手段】
【０００５】  本考案は実在する多くの機能性枕では対応できないと考えられる課題を解決し、睡眠が必要とする、機能の発揮を複合的に進め、個人に適した枕を提供する目的で作られた。即ち環境条件（季節、昼夜、外部環境）、体質及び健康状態等の変化に対応する多機能たたみ枕を提供するのが本考案の目的である。枕は図３で示されるごとく２個から５個の部分枕１で構成されている。図１で示すごとく、部分枕１はそれぞれに部分枕１を形成する側地２、中材３、機能体６からなっている。図３で示すごとく部分枕１から四種７，８，９，１０のたたみ枕が連結して作られる。即ち部分枕１のたたみ方の構成は図３に示すごとく、２個７、３個８、４個９、５個１０の各部分枕１のたたみ方を変えて、必要な機能を組み合わせし、各個人に適した枕を得ることが出来る。図１に示すごとく部分枕１と他の部分枕１との組み合わせを行う繋ぎは、たたむ場合に必要な余裕の空間を持った構造５になっているため、接合部分が部分枕の重ねにより窮屈になることはない。使用時に頭部に直接接触するポジションには使用する本人が環境条件と体質及び健康状態に最も適応すべき部分枕１を選択配置する。他の部分枕１は主体となる部分枕１の補助としてポジションを決める。主に請求項２に記述するごとく睡眠に関係する基本の機能体を選択し、枕を使用する本人がその機能を活用する。機能体６を中材３に挿入する方法は図１に示されるごとく機能体挿入口４から挿入される。機能体は原則的に出し入れが可能であり、必要に応じて機能体を選択して挿入することも可能である。機能体の位置は図２に示される。【０００６】たたみ枕の基本機能体６として（１）枕本体の形、中材の種類、側地の素材種類の組合わせから生まれる機能（２）部分枕温度の設定（２５℃から３２℃設定）及びその温度を一定時間維持する機能体６（３）微弱なマイナス電位と微弱振動を発生し、睡眠を促進する機能体６（４）睡眠を促進する香りを発生する機能体６（５）睡眠に好影響を与えるマイナスイオンを発生する機能体６（６）炭、磁気、ゲルマニウム半導体等の健康を増進し、睡眠の安定化に寄与する機能体６（７）心を癒す音楽及び波動の機能体６等が挙げられる。これら主要な睡眠に関わる機能を使用者が選択、組み合わせして用いることを前提として環境条件と体質及び健康に対応する枕を提供しようとするものである。【０００７】  枕の構造はまず中材３のクッション性を重視する２種の材質が使われる。低反発ウレタン又は変形パイプビーズを主体にして特異のクッション性を作成している。中材の中に前出の機能体６が挿入されるか、中材３そのものに機能体６を付与される。主に埋め込まれた機能体６は部分枕１への挿入又は部分枕１からの取出しが自由に出来るように側地２の挿入口４の作成及び中材３への挿入ができる構造にしている（図１参照）。故に環境条件等の変化に対応して、常にふさわしい機能を付与することが可能となる。側地２は無加工の生地又は生地に前出の機能体６を加工により付与したものが用いられる場合もある。たたみ枕全体のたたみ形態及び構成は図３に示されるごとく二個のたたみから五個のたたみまであり、寝心地の良いたたみ枕を選択して用いることができる。特にたたみ枕��高さに関しては５枚重ねた高さが最高となるために、以下の重ね高さとの比較の上で部分枕の厚さを決め、更には重ねる部分枕の重ね枚数を調整して高さを決める等状況に応じて使用者が最も睡眠に適した高さを選択することができる。頭部に直接接する部分枕が主役となる。その他の部分枕は補助的な役割として用いる。そして使用する個人個人にふさわしい枕の選択を可能とする。
【考案の効果】
【０００８】  各基本機能について医学的見地（長崎大学医学部にて評価テスト実施）から、たたみ枕の評価を実施した結果、総合的に無機能コントロールたたみ枕に比して睡眠改善に貢献するという評価を得た。評価テストはＰＯＭＳ法（Ｐｒｏｆｉｌｅ  ｏｆ  Ｍｏｏｄ  Ｓｔａｔｅｓ）により睡眠後に行い、更に体温測定法により睡眠前、睡眠後に行った。
【考案を実施するための最良の形態】
【０００９】  本考案は本来、環境と体質及び健康による睡眠条件変化にきめ細かく対応し、使用者各個人に適正な枕を提供することが目的である。故にその状況変化に対応して各基本機能から使用者本人が必要と考える機能体６を選択して、たたみ方を工夫し、自分に適する枕を採用する。全ての機能を都度、入れ替えして用いることも出来るし、２個７、３個８，４個９、５個１０までの使用者に適合した機能体６を取捨選択して用いることが出来るように機能の応用範囲は広い。最も必要とする機能体６を直接頭に接触する位置に入れ替えして、効果を最大限に発揮させることが可能である。本考案の多機能たたみ枕は図３に示すごとく２個、３個、４個、５個の四つの部分枕７，８，９，１０からなっている。機能及び使い勝手から使用する者の取捨選択により、部分枕１のいずれかが用いられる。各々のたたみ枕の中心となるのは頭部に直接接している部分枕１であるが、残りの部分枕１は補助的な機能として部分枕１の個数だけ選択できる。各々の部分枕１は相互に連結４されていて、たたみ方によりポジションを決めてゆくことにより、適正な機能体６を睡眠時に与えられるように使用者が選択できると共に睡眠にふさわしい枕の高さを使用者が調整できるという特徴がある。これらの選択を睡眠時に各種行うことにより、使用者の睡眠に最もふさわしい枕が得られる可能性は高く、組み合わせが確定できれば、長期にわたって使用者独自の最適な枕として使用できることになる。各種の機能体を用いて、各個人が独自の機能適性枕を確保することが本考案の狙いである。
【実施例１】
【００１０】  睡眠の基本機能の中から温度設定・維持機能体６および香り機能体６を選択した。温度設定は２５℃及び３２℃の二種を選んでそれぞれ部分枕１に挿入した。香りはペパーミントを変形パイプビーズに練り込んだ中材を部分枕１に充填した。コントロール品は５枚の無機能部分枕１からなるたたみ枕を用いた。５枚の部分枕１のうち３枚が機能体６枕であり、２枚の無機能体部分枕１はそのうち１枚を高さ調整のために、たたみ枕から外した。テストは２０歳代男女各１名を用い、睡眠中及び睡眠前後の肩や首の体温測定によって肩や首の血流をチェックし、覚醒後にＰＯＭＳテストにより、気分・感情（緊張・不安、抑うつ、怒り、活気、疲労、混乱）の６項目を測定した。睡眠環境は暑いパターンで実施された。測定の結果、ストレスや肩こりの改善によって、睡眠状態はコントロール品に対して良好であるとの評価を得た。（長崎大学医学部にてテスト実施）
【実施例２】
【００１１】睡眠の基本機能から微弱振動及びマイナス電位発生機能体６及び２枚の無機能部分枕１からなるたたみ枕をテストに用いた。コントロール品には３枚の無機能部分枕１による、たたみ枕を用いた。テストは２０歳代男子１名、女子１名を用い、実施例１と同様なテスト法を用いて実施した。測定結果から、ストレスや肩こりの改善によって、睡眠状態はコントロール品に対して良好であるとの評価を得た。（長崎大学医学部にてテスト実施）
【図面の簡単な説明】
【００１２】
【図１】  「部分枕の全体を示した立体図である」
【図２】  「部分枕に挿入された機能体の位置を示した平面図である」
【図３】  「２から５個の部分枕からなるたたみ枕の全体を示した平面簡略図である」
【符号の説明】
【００１３】  １    部分枕
２    側地
３    中材
４    機能体挿入口
５    部分枕と部分枕との接合部
６    機能体
７    ２個の部分枕からなるたたみ枕
８    ３個の部分枕からなるたたみ枕
９    ４個の部分枕からなるたたみ枕
１０    ５個の部分枕からなるたたみ枕
【図１】
0003110089.tif 000003
【図２】
0003110089.tif 000004
【図３】
0003110089.tif 000005